(57)【要約】【課題】電話回線が接続される回線接続端子間に静電容量素子が接続されていても、その静電容量素子に起因する電話回線接続有無の誤検出を抑制し、電話回線接続有無を精度良く検出できるようにする。【解決手段】ＣＰＵ６は、回線開放状態において回線電圧が第１電圧閾値（例えば２Ｖ）以上か否かを判断する。回線電圧が第１電圧閾値以上の場合、電話回線５１が回線側ジャック１０に接続されている可能性の他に、電話回線５１は接続されていないもののコンデンサＣ１に電荷が溜まっていることによって第１電圧閾値以上と判断された可能性もある。そこで、ＣＰＵ６は、回線開閉スイッチ１３をオンさせて回線閉結し、その回線閉結状態で再び回線電圧をチェックする。そして、回線電圧が第２電圧閾値（例えば２Ｖ）以上の場合に、電話回線５１が回線側ジャック１０に接続されていると判定する。【選択図】図１
2014127833.tif 000002
【特許請求の範囲】
【請求項１】
電話回線を接続するための２つの回線接続端子と、
前記各回線接続端子間の電圧である回線電圧を検出する回線電圧検出手段と、
前記各回線接続端子間を導通させるための端子間導通手段と、
前記回線電圧検出手段により検出された前記回線電圧が所定の第１電圧閾値以上か否かを判断する第１の電圧判断手段と、
前記第１の電圧判断手段により前記回線電圧が前記第１電圧閾値以上と判断された場合に、前記端子間導通手段に前記各回線接続端子間を一定時間導通させる端子間導通制御手段と、
前記端子間導通制御手段による前記一定時間導通の後に前記回線電圧検出手段により検出された前記回線電圧が所定の第２電圧閾値以上か否かを判断する第２の電圧判断手段と、
前記第２の電圧判断手段により前記回線電圧が前記第２電圧閾値以上と判断された場合に、前記各回線接続端子に前記電話回線が接続されていると判定する回線接続判定手段と
を備えることを特徴とする通信装置。
【請求項２】
請求項１に記載の通信装置であって、
前記電話回線を閉結又は開放するための回線開閉手段を備え、
前記回線開閉手段が前記端子間導通手段としても機能するよう構成されている
ことを特徴とする通信装置。
【請求項３】
請求項１又は請求項２に記載の通信装置であって、
電話機を接続するための２つの電話接続端子と、
前記各電話接続端子を前記電話回線に接続するために前記各電話接続端子と前記各回線接続端子との間に配設された中継伝送線と、
前記中継伝送線を導通・遮断するためのスイッチ手段と、
前記第１の電圧判断手段により前記回線電圧が前記第１電圧閾値以上と判断された場合に、前記端子間導通制御手段による前記一定時間導通に先立って、前記スイッチ手段により前記中継伝送線を遮断させる伝送線遮断制御手段と、
前記伝送線遮断制御手段による前記中継伝送線の遮断後に前記回線電圧検出手段により検出された前記回線電圧が所定の第３電圧閾値以上か否かを判断する第３の電圧判断手段と、
前記第３の電圧判断手段により前記回線電圧が前記第３電圧閾値以上ではないと判断された場合に、前記各電話接続端子に前記電話回線が誤接続されていると判定する第１の誤接続判定手段と
を備え、
前記端子間導通制御手段は、前記第３の電圧判断手段により前記回線電圧が前記第３電圧閾値以上と判断された場合に前記各回線接続端子間を前記一定時間導通させる
ことを特徴とする通信装置。
【請求項４】
請求項３に記載の通信装置であって、
前記端子間導通制御手段による前記各回線接続端子間の前記一定時間導通後、前記第２の電圧判断手段により前記回線電圧が前記第２電圧閾値以上ではないと判断された場合に前記スイッチ手段により前記中継伝送線を導通させる伝送線導通制御手段と、
前記伝送線導通制御手段による前記中継伝送線の導通後に前記回線電圧検出手段により検出された前記回線電圧が所定の第４電圧閾値以上か否かを判断する第４の電圧判断手段と、
前記第４の電圧判断手段により前記回線電圧が前記第４電圧閾値以上と判断された場合に、前記各電話接続端子に前記電話回線が誤接続されていると判定する第２の誤接続判定手段と
を備えることを特徴とする通信装置。
【発明の詳細な説明】
【技術分野】
【０００１】
本発明は、電話回線に接続されて使用される通信装置に関する。
【背景技術】
【０００２】
電話回線に接続されて使用されるファクシミリ装置等の各種通信装置として、電話回線に接続するための回線接続端子に電話回線が接続されているか否かを検出する機能を備えたものが知られている。電話回線の接続有無の検出は、一般的には、電話回線の電圧（詳しくは電話回線が接続される２つの回線接続端子間の電圧）の有無や値を検出することにより行われる（例えば、特許文献１，２参照。）。
【先行技術文献】
【特許文献】
【０００３】
【特許文献１】特開２００９−１３０５２４号公報
【特許文献２】特開２０１１−７１８８３号公報
【発明の概要】
【発明が解決しようとする課題】
【０００４】
ところで、電話回線が接続される通信装置においては、一般に、装置内において、様々な目的で、電話回線が接続される回線接続端子間にコンデンサやバリスタ等の静電容量成分を有する素子（以下「静電容量素子」ともいう）が接続される。
【０００５】
コンデンサ等の静電容量素子は、周知の通り電気エネルギーを蓄電可能な素子である。そのため、通信装置に電話回線が接続されると、その電話回線から供給される回線電圧によって静電容量素子が回線電圧近傍の値（例えば４８Ｖ）に充電される。また、通信装置の規格上、回線接続端子からみた装置内部のインピーダンスについては、電話回線の開放時には高いインピーダンス（例えば１ＭΩ以上）となるようにすることが要求されている。そのため、電話回線が接続されて静電容量素子が充電された後に電話回線を切り離しても、静電容量素子の充電電荷はすぐには放電されない。
【０００６】
そのため、その静電容量素子の充電電圧によって、実際には電話回線が接続されていないにもかかわらず、正常に接続されていると誤検出されてしまうおそれがある。このように、従来の通信装置においては、回線接続端子間にコンデンサ等の静電容量素子が接続されていることに起因して、電話回線の接続状態が誤検出されるおそれがある。
【０００７】
本発明は上記課題に鑑みなされたものであり、電話回線が接続される回線接続端子間に静電容量素子が接続されていても、その静電容量素子に起因する電話回線接続有無の誤検出を抑制し、電話回線接続有無を精度良く検出できるようにすることを目的とする。
【課題を解決するための手段】
【０００８】
上記課題を解決するためになされた本発明の通信装置は、電話回線を接続するための２つの回線接続端子と、各回線接続端子間の電圧である回線電圧を検出する回線電圧検出手段と、各回線接続端子間を導通させるための端子間導通手段と、回線電圧検出手段により検出された回線電圧が所定の第１電圧閾値以上か否かを判断する第１の電圧判断手段と、第１の電圧判断手段により回線電圧が第１電圧閾値以上と判断された場合に、端子間導通手段に各回線接続端子間を一定時間導通させる端子間導通制御手段と、端子間導通制御手段による一定時間導通の後に回線電圧検出手段により検出された回線電圧が所定の第２電圧閾値以上か否かを判断する第２の電圧判断手段と、第２の電圧判断手段により回線電圧が第２電圧閾値以上と判断された場合に、各回線接続端子に電話回線が接続されていると判定する回線接続判定手段とを備えることを特徴とする。
【０００９】
このように構成された本発明の通信装置では、第１の電圧判断手段により回線電圧が第１電圧閾値以上と判断されても、そのことをもって各回線接続端子に電話回線が接続されているとは判定されず、各回線接続端子間が一定時間導通される。このとき、仮に電話回線は接続されていないものの各回線接続端子間に静電容量素子が接続されていて所定の電圧に充電されていたとしても、各回線接続端子間が一定時間導通されることで、その充電電荷は放出（放電）される。そのため、一定時間導通後、回線電圧が第２電圧閾値以上の場合は、各回線接続端子に電話回線が接続されていると判定できる。
【００１０】
従って、本発明の通信装置によれば、仮に各回線接続端子間に静電容量素子が接続されていても、その静電容量素子に起因する電話回線接続有無の誤判定（誤検出）を抑制し、電話回線接続有無を精度良く判定（検出）できる。
【００１１】
端子間導通手段は、各回線接続端子間を導通させることができる（ひいては、各回線接続端子間に静電容量素子が接続されていたとしてもその電荷を放出させることができる）限りその具体的構成は種々考えられるが、好ましくは、電話回線を閉結又は開放するために備えられた回線開閉手段を用いる（端子間導通手段としても機能させる）ようにするとよい。
【００１２】
回線開閉手段は、電話回線に接続されて使用される各種の通信装置が通常備えているものであり、電話回線の閉結（即ち各回線接続端子の導通）又は開放（即ち各回線接続端子の開放）を行うものである。そのため、回線開閉手段とは別に端子間導通手段を備えるのではなく、回線開閉手段を本来の電話回線開閉の機能に加えて端子間導通手段としての機能も実現させるようにすることで、通信装置の大型化、コストアップを抑えることができる。
【００１３】
通信装置が、電話機を接続するための２つの電話接続端子と、各電話接続端子を電話回線に接続するために各電話接続端子と各回線接続端子との間に配設された中継伝送線と、中継伝送線を導通・遮断するためのスイッチ手段とを備えた構成である場合は、次のような構成にするとよい。即ち、第１の電圧判断手段により回線電圧が第１電圧閾値以上と判断された場合に、端子間導通制御手段による一定時間導通に先立って、スイッチ手段により中継伝送線を遮断させる伝送線遮断制御手段と、伝送線遮断制御手段による中継伝送線の遮断後に回線電圧検出手段により検出された回線電圧が所定の第３電圧閾値以上か否かを判断する第３の電圧判断手段と、第３の電圧判断手段により回線電圧が第３電圧閾値以上ではないと判断された場合に、各電話接続端子に電話回線が誤接続されていると判定する第１の誤接続判定手段とを備える。端子間導通制御手段は、第３の電圧判断手段により回線電圧が第３電圧閾値以上と判断された場合に各回線接続端子間を一定時間導通させる。
【００１４】
このように構成された通信装置では、第１の電圧判断手段により回線電圧が第１電圧閾値以上と判断された場合、その要因の１つとして、各電話接続端子に電話回線が誤接続されている可能性が挙げられる。そこで、スイッチ手段により中継伝送線を遮断させた状態で再び回線電圧をみて、回線電圧が第３電圧閾値以上ではないならば上記誤接続と判定する。このように、各電話接続端子への電話回線の誤接続についても判定できるようにすることで、通信装置の付加価値を高めることができる。
【００１５】
上記構成の通信装置では、第３の電圧判断手段により回線電圧が第３電圧閾値以上と判断された場合には、端子間導通制御手段により各回線接続端子間が一定時間導通され、その後第２の電圧判定手段による判断及び回線接続判定手段による判定に進むことになる。
【００１６】
この場合、第２の電圧判断手段によって回線電圧が第２電圧閾値以上であると判断された場合は、各回線接続端子に電話回線が接続されていると判定されることになるが、回線電圧が第２電圧閾値より低かった場合は、少なくとも次の２種類のケースが考えられる。１つは、各回線接続端子に電話回線は接続されていないもののこれら各回線接続端子間に静電容量素子が存在していて、端子間導通制御手段により各回線接続端子間が一定時間導通される前まではその静電容量素子に電荷が溜まっていたケースである。もう一つは、各電話接続端子に電話回線が誤接続されているケースである。
【００１７】
そこで、これら少なくとも２つのケースを判別できるようにするために、本発明の通信装置は、更に次のような構成にするとよい。即ち、通信装置は、端子間導通制御手段による各回線接続端子間の一定時間導通後、第２の電圧判断手段により回線電圧が第２電圧閾値以上ではないと判断された場合にスイッチ手段により中継伝送線を導通させる伝送線導通制御手段と、伝送線導通制御手段による中継伝送線の導通後に回線電圧検出手段により検出された回線電圧が所定の第４電圧閾値以上か否かを判断する第４の電圧判断手段と、第４の電圧判断手段により回線電圧が第４電圧閾値以上と判断された場合に、各電話接続端子に電話回線が誤接続されていると判定する第２の誤接続判定手段とを備える。
【００１８】
このように構成された通信装置によれば、各電話接続端子に電話回線が誤接続されているか否かについても、各回線接続端子間に静電容量素子が接続されているか否かにかかわらず精度良く判定できる。
【図面の簡単な説明】
【００１９】
【図１】実施形態の複合機の概略構成を表す構成図。
【図２】回線接続判定機能の概要を説明するための説明図。
【図３】回線状態判定処理を表すフローチャート。
【発明を実施するための形態】
【００２０】
以下に、本発明の好適な実施形態を図面に基づいて説明する。なお、本発明は、下記の実施形態によって何ら限定して解釈されない。下記の実施形態の構成の一部を、課題を解決できる限りにおいて省略した態様も本発明の実施形態であり、下記の複数の実施形態を適宜組み合わせて構成される態様も本発明の実施形態である。
【００２１】
（１）複合機の構成
本実施形態の複合機１は、ファクシミリ通信機能、外付け電話の中継機能、コピー機能、スキャナ機能などの複数の機能を備えたものであり、図１に示すように、電話回線５１を接続するための回線側ジャック１０と、外付電話３０を接続するための電話側ジャック２０とを備えている。これら各ジャック１０，２０はいずれも、同一形状のモジュラージャックとして構成され、複合機１の側面に設けられている。
【００２２】
複合機１は、主制御部３と、モデム１４と、ＳＤＡＡ１５と、操作部１６と、表示部１７と、記録部１８と、読取部１９とを備えている。
主制御部３は、ＣＰＵ６，ＲＯＭ７及びＲＡＭ８などにより構成されている。ＣＰＵ６は、図３に示す回線状態判定処理（詳細は後述）を含む各種制御プログラムを実行する。ＲＯＭ７は、ＣＰＵ６にて実行される各種制御プログラム等が記憶されている。ＲＡＭ８は、ＣＰＵ６が各種演算等を行う際の一時記憶領域として使用される。ＣＰＵ６は、モデム１４と複数のデータ通信線により接続されており、モデム１４はトランス９を介してＳＤＡＡ１５と接続されている。
【００２３】
操作部１６は、複合機１の筐体表面に設けられ、ユーザによる各種操作入力を受け付けるための各種ボタンやタッチパネル等を備えてなるものである。表示部１７は、複合機１の筐体表面に設けられ、複合機１の動作状態や各種設定内容などの各種情報を表示するものであり、本例ではＬＣＤ（液晶表示画面）により構成されている。記録部１８は、ファクシミリ通信機能により受信されたファクシミリ受信画像や読取部１９により読み取られた画像などの各種画像を、印刷用紙等の被記録媒体に記録（印刷）するものである。読取部１９は、コピーやファクシミリ送信における読み取り対象の原稿の画像を読み取るものである。
【００２４】
回線側ジャック１０には、電話回線５１が接続可能である。回線側ジャック１０に電話回線５１が接続されることで、複合機１と交換機５０とが電気的に接続されて相互間で各種通信が可能となる。なお、図１では図示を省略したが、電話回線５１と複合機１との接続は、実際には、端部にモジュラープラグを備えたラインコードを介して（ラインコードのモジュラープラグを回線側ジャック１０に差し込むことで）行われる。
【００２５】
電話回線５１は、交換機５０から複合機１等の端末装置側へ通信用の直流電圧（例えば４８Ｖ）を供給するための第１ラインＬ１及び第２ラインＬ２を備えている。複合機１の回線側ジャック１０は、電話回線５１の第１ラインＬ１が接続される第１回線接続端子１１と、電話回線５１の第２ラインＬ２が接続される第２回線接続端子１２とを備えている。各回線接続端子１１，１２はＳＤＡＡ１５に接続されている。即ち、第１回線接続端子１１は第１接続線Ｌ１１によってＳＤＡＡ１５と接続され、第２回線接続端子１２は第２接続線Ｌ１２によってＳＤＡＡ１５と接続されている。
【００２６】
電話側ジャック２０には、外付電話３０が接続可能である。電話側ジャック２０は、第１電話接続端子２１及び第２電話接続端子２２を備え、これら各電話接続端子２１，２２が、複合機１の内部において、各接続線Ｌ１１，Ｌ１２に接続されている。即ち、第１電話接続端子２１は第１中継線Ｌ２１を介して第１接続線Ｌ１１に接続され、第２電話接続端子２２は第２中継線Ｌ２２を介して第２接続線Ｌ１２に接続されている。つまり、回線側ジャック１０と電話側ジャック２０は電気的に接続されている。そのため、外付電話３０も、各中継線Ｌ２１，Ｌ２２等を介して交換機５０と相互に通信を行うことができる。
【００２７】
各中継線Ｌ２１，Ｌ２２のうち、第１中継線Ｌ２１には、この第１中継線Ｌ２１を導通（オン）・遮断（オフ）するためのリレー２３が設けられている。このリレー２３は、外付電話３０と交換機５０とを接続又は切断できるようにするために設けられている。このリレー２３は、ＣＰＵ６によって制御される。
【００２８】
各接続線Ｌ１１，Ｌ１２の間には、電話回線５１を閉結・開放するための、抵抗Ｒ１及び回線開閉スイッチ１３を有する回線閉結・開放回路が設けられている。回線開閉スイッチ１３は、ＣＰＵ６の制御の元で直接的にはＳＤＡＡ１５によりオン・オフされる。回線開閉スイッチ１３がオフのときは電話回線５１が開放され、回線開閉スイッチ１３がオンされると電話回線５１が閉結される。
【００２９】
また、各接続線Ｌ１１，Ｌ１２の間には、コンデンサＣ１が接続されている。既述の通り、電話回線５１に接続されて使用される通信装置においては、通常、様々な目的で、電話回線５１が接続される端子間にコンデンサやバリスタ等の静電容量素子が接続される。本実施形態の複合機１においても、それらと同様に、各接続線Ｌ１１，Ｌ１２の間（即ち各回線接続端子２１，２２の間）にコンデンサＣ１が接続されている。
【００３０】
なお、コンデンサ等の静電容量素子を接続する目的はよく知られているため詳細説明は省略するが、一例として、電話回線の放射ノイズ対策や、雷保護などのサージ保護などが挙げられる。
【００３１】
ＳＤＡＡ（半導体化データアクセスアレンジメント）１５は、電話回線接続用のインタフェースとして用いられる周知のモジュールであり、ＣＰＵ６からモデム１４経由で入力される各種指令に従って、電話回線５１の閉結や開放、電話回線５１からの各種入力信号（例えば呼出信号、ダイヤルトーンなど）の検出、電話回線５１への各種出力信号の送出などを行う。
【００３２】
ＳＤＡＡ１５は、複合機１における一次側（ＳＤＡＡ１５，回線側ジャック１０側）と二次側（モデム１４，主制御部３側）とを直流的に絶縁するために、トランス９を介してモデム１４に接続されている。ＳＤＡＡ１５の動作用電源は、モデム１４からトランス９を介して供給される。ＳＤＡＡ１５とモデム１４との間の各種信号等の入出力も、トランス９を介して行われる。
【００３３】
ＳＤＡＡ１５は、電話回線５１の回線電圧を検出（直接的には各接続線Ｌ１１，Ｌ１２の線間電圧を検出）する機能も備えている。ＳＤＡＡ１５にて受信された各種入力信号や、ＳＤＡＡ１５にて検出された回線電圧は、モデム１４を介してＣＰＵ６に伝送される。
【００３４】
モデム１４は、ファクシミリ通信において送受信されるファクシミリ信号の変調・復調といった基本的機能を有する他、ＣＰＵ６からの指令に従いながらＳＤＡＡ１５を制御し、ＳＤＡＡ１５への各種信号等の出力や、ＳＤＡＡ１５からの各種入力信号・回線電圧等の受信などを行う。
【００３５】
モデム１４は、例えば回線電圧については、ＳＤＡＡ１５により検出された回線電圧をＳＤＡＡ１５から周期的に取得し、保持しておく。そして、ＣＰＵ６からの要求に応じて（或いはモデム１４自身が定期的に）その保持している最新の回線電圧をＣＰＵ６へ出力する。
【００３６】
（２）複合機の回線接続判定機能の概要
次に、複合機１が備えている回線接続判定機能について説明する。本実施形態の複合機１では、電源が投入されたときに、回線側ジャック１０（各回線接続端子１１，１２）に電話回線５１が接続されているか否か、電話側ジャック２０に誤って電話回線５１が接続されていないかどうか、などの判定が行われる。
【００３７】
この判定は、基本的には、次のようにして行うことができる。回線側ジャック１０と電話回線５１との接続有無については、リレー２３をオフした状態で回線電圧をみて、回線電圧が所定の電圧閾値（本例では２Ｖ）以上ならば接続されていると判定でき、電圧閾値未満ならば接続されていないと判断できる。電話側ジャック２０への電話回線５１の誤接続については、リレー２３をオフした状態の回線電圧及びリレー２３をオンした状態の回線電圧をみて、リレーオフ時の回線電圧は電圧閾値未満であるもののリレーオン時の回線電圧は電圧閾値以上である場合に、電話回線５１が誤接続されていると判定できる。
【００３８】
しかし、本実施形態の複合機１は、各接続線Ｌ１１，Ｌ１２の間にコンデンサＣ１が接続されているため、その充電電圧によって、上記の基本的判定方法だけでは正確な判定ができない場合がある。例えば、電話回線５１を回線側ジャック１０に接続すると、交換機５０から供給される直流電圧（本例では４８Ｖ）によってコンデンサＣ１が充電される。その後、回線側ジャック１０からラインコードが抜かれて電話回線５１との接続が切り離されても、コンデンサＣ１の充電電荷は保持される。これは、既述の通り、通信装置の規格上、電話回線５１側からみた複合機１内部のインピーダンスについては、回線開放時には高いインピーダンス（例えば１ＭΩ以上）となるようにすることが要求されているからである。
【００３９】
そこで、本実施形態の複合機１は、コンデンサＣ１の充電電圧を考慮した、高精度の回線接続判定機能を備えている。複合機１の回線接続判定機能について、図２を用いて説明する。
【００４０】
なお、以下の説明では、ユーザの使用状態等によって想定される４つのケースを適宜交えながら説明する。４つのケースのうちの１つ目（ケース１）は、各ジャック１０，２０のいずれにも電話回線５１が接続されておらず且つコンデンサＣ１に残留電荷がない（充電電圧が０）のケースである。図２（ａ）は、このケース１の場合における、回線接続判定時に検出される回線電圧の変化例を示している。
【００４１】
二つ目のケース２は、回線側ジャック１０に電話回線５１が正しく接続されているケースである。図２（ｂ）は、このケース２の場合における、回線接続判定時に検出される回線電圧の変化例を示している。
【００４２】
三つ目のケース３は、各ジャック１０，２０のいずれにも電話回線５１が接続されていないもののコンデンサＣ１に電荷が溜まっている（充電電圧が電圧閾値２Ｖ以上）ケースである。図２（ｃ）は、このケース３の場合における、回線接続判定時に検出される回線電圧の変化例を示している。
【００４３】
四つ目のケース４は、電話側ジャック２０に電話回線５１が誤接続されているケースである。図２（ｄ）は、このケース４の場合における、回線接続判定時に検出される回線電圧の変化例を示している。
【００４４】
複合機１では、まず、１次回線チェックを行う。即ち、リレー２３がオンで且つ回線開放（回線開閉スイッチ１３がオフ）の状態で、回線電圧が電圧閾値２Ｖ以上かどうかをみる。ケース１の場合、図２（ａ）に示すように回線電圧が０Ｖであるため、この１次回線チェックによって、電話回線５１が接続されていないことが判定される。そのため、後述する２次〜４次回線チェックは行われない。
【００４５】
ケース２〜４の場合は、いずれも、回線電圧が電圧閾値２Ｖ以上になる。そこで、１次回線チェックで回線電圧が電圧閾値２Ｖ以上だった場合は、リレー２３をオフして、外付電話３０が接続される電話側ジャック２０との接続を切断する。そして、２次回線チェックとして、回線電圧が電圧閾値２Ｖ以上かどうかをみる。
【００４６】
ケース２〜４の場合、いずれも、コンデンサＣ１に電荷が溜まっているため、リレー２３をオフしても回線電圧はすぐに低下することはない。しかし、別のケースとして例えば、コンデンサＣ１の静電容量が小さく、電話側ジャック２０に電話回線５１が誤接続されている間は高い回線電圧が検出されるもののコンデンサＣ１の充電量は少なく、よってリレー２３をオフすると回線電圧が大きく低下するというケースも想定される。そのようなケースも考慮して、２次回線チェックを行うようにしている。
【００４７】
２次回線チェックにおいて、回線電圧が電圧閾値２Ｖ未満だった場合は、電話側ジャック２０に電話回線５１が誤接続されていると判定される。この場合、後述する３次，４次回線チェックは行われない。
【００４８】
ケース２〜４の場合、いずれも、図２（ｂ）〜（ｄ）に示すように、リレー２３をオフしても回線電圧は大きく低下しないため、２次回線チェックの後、回線閉結を行う。即ち、回線開閉スイッチ１３をオンすることで、コンデンサＣ１の充電電荷を放電させる。回線開閉スイッチ１３がオンされると、コンデンサＣ１の一端から抵抗Ｒ１及び回線開閉スイッチ１３を経てコンデンサＣ１の他端に至る閉回路が形成されるため、コンデンサＣ１からの放電が可能となる。
【００４９】
この回線閉結により、ケース２〜４のいずれも、図２（ｂ）〜（ｄ）に示すように、コンデンサＣ１の充電電荷が放電されて回線電圧は０Ｖになる。なお、ケース２の場合は、電話回線５１が正常に接続されていることから、回線閉結しても回線電圧は厳密には０Ｖにならず、抵抗Ｒ１の電圧降下分の電圧が検出される。しかし、回線閉結時の抵抗Ｒ１の電圧は２Ｖより低い微小な値であって本実施形態では無視し得るため、回線閉結時の回線電圧は０Ｖであるものとして扱う。
【００５０】
一定時間回線閉結した後は、再び回線開閉スイッチ１３をオフさせることで電話回線５１を開放する。そして、回線開放後に、３次回線チェックとして、回線電圧が電圧閾値２Ｖ以上かどうかをみる。
【００５１】
ケース２の場合は、回線開放すると、電話回線５１が正常に接続されていることから、図２（ｂ）に示すように回線電圧は４８Ｖになる。これにより、３次回線チェックによって、電話回線５１が回線側ジャック１０に正常に接続されていることが判定される。そのため、後述する４次回線チェックは行われない。
【００５２】
ケース３，４の場合は、回線開放してもコンデンサＣ１は充電されないため、図２（ｃ），（ｄ）に示すように、回線電圧は０Ｖのままである。そのため、ケース３，４の場合は、３次回線チェックから更に進み、リレー２３を再びオンして、外付電話３０が接続される電話側ジャック２０との接続を復帰させる。そして、そのリレー２３のオン後に、４次回線チェックとして、回線電圧が電圧閾値２Ｖ以上かどうかをみる。
【００５３】
ケース３の場合、図２（ｃ）に示すように、リレー２３が再びオンされても回線電圧は０Ｖのまま不変である。そのため、この４次回線チェックによって、各ジャック１０，２０のいずれにも電話回線５１が接続されていないことが判定される。
【００５４】
ケース４の場合、電話側ジャック２０に電話回線５１が誤接続されていることから、図２（ｄ）に示すように、リレー２３が再びオンされると回線電圧も４８Ｖまで上昇する。そのため、この４次回線チェックによって、電話側ジャック２０に電話回線５１が誤接続されていることが判定される。
【００５５】
（３）回線状態判定処理の説明
次に、上述した回線接続判定機能を実現するためにＣＰＵ６が実行する回線状態判定処理について、図３を用いて説明する。ＣＰＵ６は、複合機１に電源が投入されることにより動作を開始すると、図３の回線状態判定処理を実行する。
【００５６】
ＣＰＵ６は、回線状態判定処理を開始すると、Ｓ１１０で、１次回線チェックとして、回線電圧が電圧閾値２Ｖ以上であるか否か判断する。なお、このＳ１１０の判断は、実際にはモデム１４がＳＤＡＡ１５と協調しながら行って、ＣＰＵ６はその判断結果をもらうだけであるのだが、図３では、説明の簡素化のため、ＣＰＵ６が主体的に判断を行っているものとして説明している。もちろん、実際にＣＰＵ６が自ら回線電圧をモデム経由等で取得してその取得した回線電圧値に基づいて判断するようにしてもよいことはいうまでもない。後述するＳ１３０，Ｓ１５０，Ｓ１９０，Ｓ２２０，Ｓ２７０及びＳ２９０の各処理についても同様である。
【００５７】
Ｓ１１０で回線電圧が２Ｖ以上ではない（２Ｖ未満）と判断された場合（上記ケース１に該当）、Ｓ１２０で、表示部１７に「ラインコードを接続して下さい」と表示させて、ユーザに対し、ラインコードの接続（即ち電話回線５１の接続）を促す。Ｓ１３０で、回線電圧が電圧閾値２Ｖ以上になるまで（即ち電話回線５１が接続されるまで）待ち、回線電圧が電圧閾値２Ｖ以上になったら、Ｓ１４０でリレー２３をオフする。つまり、電話側ジャック２０との接続を切断する。
【００５８】
Ｓ１５０で、Ｓ１４０によるリレー２３のオフ前後で回線電圧が低下したか否か判断する。リレー２３のオフ前後で回線電圧が上がったか若しくは変化なしの場合は、Ｓ１６０で、回線種別判別処理を行う。この回線種別判別処理は、回線閉結してダイヤルトーンを検出すること等によって、回線側ジャック１０に接続されている電話回線５１の種別を判別する処理であるが、この処理はよく知られているため、詳細説明は省略する。
【００５９】
Ｓ１６０で回線種別識別処理を行った後は、Ｓ１７０でリレー２３をオンして電話側ジャック２０との接続を復帰させ、この回線状態判定処理を終了する。
Ｓ１５０で、Ｓ１４０によるリレー２３のオフ前後で回線電圧が低下した場合は、電話側ジャック２０に電話回線５１が誤接続されていることが予想される。そこで、Ｓ１８０で、表示部１７に「ラインコード接続が間違っています。接続し直して下さい。」と表示させる。そしてＳ１９０で、回線電圧が上昇する（例えば２Ｖ以上になる）まで待ち、上昇したらＳ１６０以降に進む。
【００６０】
Ｓ１１０で回線電圧が２Ｖ以上と判断された場合は、上記４つのケースのうちケース２〜ケース４の何れかである可能性がある。そこで、Ｓ２００で、Ｓ１４０と同様にリレー２３をオフし、Ｓ２１０で、１００ｍｓｅｃ．待機する。なお、この１００ｍｓｅｃ．という待機時間はあくまでも一例である。後述するＳ２４０及びＳ２６０における各待機時間も同様である。
【００６１】
リレー２３をオフして１００ｍｓｅｃ．待機した後、Ｓ２２０で、２次回線チェックとして、回線電圧が電圧閾値２Ｖ以上であるか否か判断する。回線電圧が電圧閾値２Ｖ未満の場合は、電話側ジャック２０に電話回線５１が誤接続されていると判定し、Ｓ１８０以降に進んでラインコードの接続し直しを促す。
【００６２】
Ｓ２２０で、回線電圧が電圧閾値２Ｖ以上と判断した場合は、Ｓ２３０で回線閉結し、Ｓ２４０で１００ｍｓｅｃ．待機して、Ｓ２５０で再び回線開放する。コンデンサＣ１に電荷が溜まっている場合は、Ｓ２４０の待機中に放電される（ただしケース２の場合を除く）。
【００６３】
Ｓ２５０の回線開放後、Ｓ２６０で５０ｍｓｅｃ．待機して、Ｓ２７０の３次回線チェックに進む。Ｓ２７０では、回線電圧が電圧閾値２Ｖ以上であるか否かを判断する。ここで回線電圧が２Ｖ以上の場合（上記ケース２に該当）、回線側ジャック１０に電話回線５１が正常に接続されていると判定して、Ｓ１６０以降に進む。
【００６４】
Ｓ２７０で、回線電圧が２Ｖ以上ではない（２Ｖ未満）と判断した場合は、ケース３又はケース４の何れかである可能性がある。そこでＳ２８０で、Ｓ１７０と同様にリレーをオンし、Ｓ２９０で、４次回線チェックとして、回線電圧が電圧閾値２Ｖ以上であるか否か判断する。ここで回線電圧が２Ｖ以上の場合（上記ケース４に該当）、電話側ジャック２０に電話回線５１が誤接続されているものと判定し、Ｓ１８０以降に進んでラインコードの接続し直しを促す。
【００６５】
Ｓ２９０で、回線電圧が２Ｖ以上ではない（２Ｖ未満）と判断した場合（上記ケース３に該当）、各ジャック１０，２０のいずれにも電話回線５１が接続されていないものと判定し、Ｓ１２０以降に進んでラインコードの接続を促す。
【００６６】
（４）実施形態の効果等
以上説明した本実施形態の複合機１によれば、１次回線チェックから４次回線チェックまで段階的に且つ必要に応じて順次実行されることで、上記ケース１〜ケース４のような、想定される各種のケースを高い精度で判定することができる。
【００６７】
特に、リレー２３のオフ後の２次回線チェック（Ｓ２２０）でも回線電圧が電圧閾値２Ｖ以上であった場合、コンデンサＣ１の充電電圧が回線電圧として検出されている可能性を考慮して、回線閉結・開放（Ｓ２３０〜Ｓ２６０）を行うことでコンデンサＣ１の充電電荷を放電させ、その後にあらためて３次回線チェック以降の判定を行うようにしている。
【００６８】
そのため、コンデンサＣ１の充電電荷に起因して電話回線の接続状態が誤判定されるのが抑制され、電話回線の接続状態を高い精度で判定することができる。
また、本実施形態では、コンデンサＣ１の充電電荷を放電させるための手段として、回線開放・閉結のために備えられている回線開閉スイッチ１３を利用している。コンデンサＣ１の充電電荷を放電させる一般的方法としては、放電回路を別途設けることが考えられる。しかし、そのように放電回路を別途設けると、その分、装置の大型化やコストアップを招く。また、放電回路のような別回路を新たに設けると、故障時の対応や規格管理上の問題など、様々な面で考慮すべき事項が増え、その分、設計や製造の際の負担が増大する。
【００６９】
これに対し、本実施形態の複合機１は、回線開閉スイッチ１３を、本来の回線開放・閉結のためだけでなく、コンデンサＣ１の放電用としても共用しているため、装置の大型化やコストアップを抑えることができ、設計・製造時の負担増大も抑制することができる。
【００７０】
なお、本実施形態において、ＳＤＡＡ１５は本発明の回線電圧検出手段の一例に相当し、回線開閉スイッチ１３は本発明の端子間導通手段及び回線開閉手段の一例に相当し、第１中継線Ｌ２１は本発明の中継伝送線の一例に相当し、リレー２３は本発明のスイッチ手段の一例に相当する。また、図３の回線状態判定処理において、Ｓ１１０の処理（１次回線チェック）は本発明の第１の電圧判断手段が実行する処理の一例に相当し、Ｓ２２０の処理（２次回線チェック）は本発明の第３の電圧判断手段が実行する処理の一例に相当し、Ｓ２７０の処理（３次回線チェック）は本発明の第２の電圧判断手段及び回線接続判定手段が実行する処理の一例に相当し、Ｓ２９０の処理（４次回線チェック）は本発明の第４の電圧判断手段が実行する処理の一例に相当し、Ｓ１８０の処理は本発明の第１の誤接続判定手段及び第２の誤接続判定手段が実行する処理の一例に相当し、Ｓ２００の処理は本発明の伝送線遮断制御手段が実行する処理の一例に相当し、Ｓ２５０の処理は本発明の端子間導通制御手段が実行する処理の一例に相当し、Ｓ２８０の処理は本発明の伝送線導通制御手段が実行する処理の一例に相当する。
【００７１】
（５）他の実施形態
各次回線チェックにおいて判断基準として用いる電圧閾値について、上述した数値（電圧閾値２Ｖ）はあくまでも一例であり、これら各閾値の具体的数値は適宜決めることができる。
【００７２】
図３の回線状態判定処理について、一部既に説明したが、この図３に示したＳ１１０〜Ｓ２９０の各処理は、その全てをＣＰＵ６が主体的に行ってもいいし、一部の処理はモデム１４やＳＤＡＡ１５などのＣＰＵ６以外の回路等に任せ、その結果をＣＰＵ６がもらうように構成してもよい。
【００７３】
コンデンサＣ１の充電電荷の放電を行うための手段として回線開閉スイッチ１３を用いることは必須ではなく、放電用の回路を設けてそれを用いて行うようにしてもよい。ただし、既述の通り、放電用の回路を別途設けるようにすると、コスト面や規格管理面などの様々な面で負担が大きくなる。そのため、上記実施形態のように回線開閉スイッチ１３を利用するのが好ましい。
【００７４】
リレー２３について、上記実施形態では、ＣＰＵ６によってオン・オフ制御される構成であったが、ＣＰＵ６からの指令に従ってモデム１４がリレー２３を直接オン・オフさせる構成であってもよい。
【００７５】
本発明の適用は、各種機能を備えた複合機１への適用に限定されるものではない。電話回線５１を接続して通信を行うよう構成されたあらゆる通信装置に対して本発明を適用することができる。
【符号の説明】
【００７６】
１…複合機、３…主制御部、６…ＣＰＵ、７…ＲＯＭ、８…ＲＡＭ、９…トランス、１０…回線側ジャック、１１…第１回線接続端子、１２…第２回線接続端子、１３…回線開閉スイッチ、１４…モデム、１５…ＳＤＡＡ、１６…操作部、１７…表示部、１８…記録部、１９…読取部、２０…電話側ジャック、２１…第１電話接続端子、２２…第２電話接続端子、２３…リレー、３０…外付電話、５０…交換機、５１…電話回線、Ｃ１…コンデンサ、Ｌ１…第１ライン、Ｌ２…第２ライン、Ｌ１１…第１接続線、Ｌ１２…第２接続線、Ｌ２１…第１中継線、Ｌ２２…第２中継線、Ｒ１…抵抗。
【図１】
2014127833.tif 000003
【図３】
2014127833.tif 000004
【図２】
2014127833.tif 000005